(57)【要約】【課題】検出用パルスの出力時間を規制して、電池の電源電圧の検出による消費電流の削減を図ること。【解決手段】導入された被検体内において所定の機能を実行するカプセル内機能実行回路４０を駆動させるために電池３０から電源を供給するカプセル型内視鏡２にて、撮像タイミング発生回路２６からシステムコントロール回路２９内の電源電圧検出部２９ａに電源電圧を検出するための検出用パルスを、たとえば電池３０の消耗を確認するのに必要な時間のみ出力し、この期間内に電池３０の電源電圧の検出を行う。【選択図】        図４
2005334082.tif 000002
【特許請求の範囲】
【請求項１】
導入された被検体内において所定の機能を実行する機能実行手段と、
前記機能実行手段を駆動させるための駆動電源を蓄積する電源蓄積手段と、
前記電源蓄積手段から供給される電源電圧を検出する検出手段と、
前記検出手段による電源電圧検出のための検出用パルスを所定タイミングで出力するタイミング出力手段と、
を備えることを特徴とする被検体内導入装置。
【請求項２】
前記被検体内導入装置は、前記検出手段の検出結果に基づいて、電源蓄積手段から前記機能実行手段への電源供給を停止させる電源供給制御手段を、さらに備えることを特徴とする請求項１に記載の被検体内導入装置。
【請求項３】
前記タイミング出力手段は、所定長の検出用パルスを出力し、
前記検出手段は、前記検出用パルスの出力期間中に、電源電圧の検出を行うことを特徴とする請求項１または２に記載の被検体内導入装置。
【請求項４】
前記タイミング出力手段は、前記機能実行手段の駆動タイミングに同期した所定タイミングで、前記検出用パルスを出力することを特徴とする請求項３に記載の被検体内導入装置。
【請求項５】
前記機能実行手段は、
前記被検体内を照明する照明手段と、
前記照明された被検体内の画像情報を取得する取得手段と、
前記取得手段が取得した前記被検体内の画像情報を外部に無線送信する無線送信手段と、
を少なくとも備え、前記タイミング出力手段は、前記取得手段の駆動タイミングに同期させ、かつ前記取得手段による画像情報の出力期間以外の期間に前記検出用パルスを出力することを特徴とする請求項４に記載の被検体内導入装置。
【発明の詳細な説明】
【技術分野】
【０００１】
本発明は、たとえば飲み込み型のカプセル型内視鏡の各部位に電源を供給する被検体内導入装置に関し、特に電池の電源電圧を検出する被検体内導入装置に関するものである。
【背景技術】
【０００２】
近年、内視鏡の分野では、撮像機能と無線機能とが装備されたカプセル型内視鏡が登場している。このカプセル型内視鏡は、観察（検査）のために被検体である被検者に飲み込まれた後、被検者の生体から自然排出されるまでの観察期間、胃、小腸などの臓器の内部（体腔内）をその蠕動運動に伴って移動し、撮像機能を用いて順次撮像する構成である。
【０００３】
また、これら臓器内の移動によるこの観察期間、カプセル型内視鏡によって体腔内で撮像された画像データは、順次無線通信などの無線機能により、被検体の外部に設けられた外部装置に送信され、外部装置内に設けられたメモリに蓄積される。被検者がこの無線機能とメモリ機能を備えた外部装置を携帯することにより、被検者は、カプセル型内視鏡を飲み込んだ後、排出されるまでの観察期間、不自由を被ることなく行動が可能になる。観察後は、医者もしくは看護士によって、外部装置のメモリに蓄積された画像データに基づいて、体腔内の画像をディスプレイなどの表示手段に表示させて診断を行うことができる。
【０００４】
この種のカプセル型内視鏡では、たとえば特許文献１に示すような飲み込み型のものがあり、カプセル型内視鏡の駆動を制御するため、内部に外部磁場によってオン・オフするリードスイッチを備え、この外部磁場を供給する永久磁石を含むパッケージに収容された構成が提案されている。すなわち、カプセル型内視鏡内に備わるリードスイッチは、一定強度以上の磁場が与えられた環境下では、オフ状態を維持し、外部磁場の強度が低下することによってオンする構造を有する。このため、パッケージに収容されている状態では、カプセル型内視鏡は駆動しない。そして、飲み込み時に、このカプセル型内視鏡をパッケージから取り出すことで、永久磁石から離隔してカプセル型内視鏡が磁力の影響を受けなくなり、駆動を開始する。このような構成を有することによって、パッケージ内に収容された状態では、カプセル型内視鏡の駆動が防止可能となり、パッケージから取り出し後は、カプセル型内視鏡の照明機能、撮像機能による画像の撮像および無線機能による画像信号の送信が行われていた。
【０００５】
【特許文献１】国際公開第０１／３５８１３号パンフレット
【発明の開示】
【発明が解決しようとする課題】
【０００６】
ところが、カプセル型内視鏡は、たとえばボタン型乾電池などの電池から電源を供給することによって、照明機能、撮像機能および無線機能などの予め設定された所定の機能を実行する機能実行手段を駆動させているので、長時間電池を使用すると、電池の供給電圧が低下して中間電位となり、この中間電位によって機能実行手段の負荷側にラッチアップなどの現象が発生し、故障モードに入ることがある。そこで、中間電位の状態では、電池と機能実行手段との接続を切断する回路構成のものも考えられるが、電池の長寿命化を実現するために、電池の電源電圧を検出する回路においても消費電流の削減を図れるものがないという問題があった。
【０００７】
本発明は、上記問題に鑑みてなされたものであって、電池の電源電圧の検出による消費電流の削減を図ることができる被検体内導入装置を提供することを目的とする。
【課題を解決するための手段】
【０００８】
上述した課題を解決し、目的を達成するために、本発明にかかる被検体内導入装置は、導入された被検体内において所定の機能を実行する機能実行手段と、前記機能実行手段を駆動させるための駆動電源を蓄積する電源蓄積手段と、前記電源蓄積手段から供給される電源電圧を検出する検出手段と、前記検出手段による電源電圧検出のための検出用パルスを所定タイミングで出力するタイミング出力手段と、を備えることを特徴とする。
【０００９】
また、請求項２の発明にかかる被検体内導入装置は、上記発明において、前記検出手段の検出結果に基づいて、電源蓄積手段から前記機能実行手段への電圧供給を停止させる電源供給制御手段を、さらに備えることを特徴とする。
【００１０】
また、請求項３の発明にかかる被検体内導入装置は、上記発明において、前記タイミング出力手段は、所定長の検出用パルスを出力し、前記検出手段は、前記検出用パルスの出力期間中に、電源電圧の検出を行うことを特徴とする。
【００１１】
また、請求項４の発明にかかる被検体内導入装置は、上記発明において、前記タイミング出力手段は、前記機能実行手段の駆動タイミングに同期した所定タイミングで、前記検出用パルスを出力することを特徴とする。
【００１２】
また、請求項５の発明にかかる被検体内導入装置は、上記発明において、前記機能実行手段は、前記被検体内を照明する照明手段と、前記照明された被検体内の画像情報を取得する取得手段と、前記取得手段が取得した前記被検体内の画像情報を外部に無線送信する無線送信手段と、を少なくとも備え、前記タイミング出力手段は、前記取得手段の駆動タイミングに同期させ、かつ前記取得手段による画像情報の出力期間以外の期間に前記検出用パルスを出力することを特徴とする。
【発明の効果】
【００１３】
本発明にかかる被検体内導入装置は、検出手段による電源電圧の検出用パルスをタイミング出力手段から出力し、たとえば検出用パルスを電源蓄積手段（電池）の消耗を確認するのに必要な所定長の時間のみ出力し、この期間内に前記電源電圧の検出を行うことで、電池の電源電圧の検出による消費電流の削減を図ることができるという効果を奏する。
【発明を実施するための最良の形態】
【００１４】
以下に、本発明にかかる被検体内導入装置の実施の形態を図１〜図６の図面に基づいて詳細に説明する。なお、本発明は、これらの実施の形態に限定されるものではなく、本発明の要旨を逸脱しない範囲で種々の変更実施の形態が可能である。
【００１５】
（実施の形態１）
図１は、実施の形態１にかかる被検体内導入装置を含む無線型被検体内情報取得システムの全体構成を示す模式図である。この無線型被検体内情報取得システムでは、被検体内導入装置の一例として、カプセル型内視鏡をあげて説明する。図１において、無線型被検体内情報取得システムは、無線受信機能を有する受信装置３と、被検体１内に導入され、体腔内画像を撮像して受信装置３に対して画像信号などのデータ送信を行うカプセル型内視鏡（被検体内導入装置）２とを備える。また、無線型被検体内情報取得システムは、受信装置３が受信した画像信号に基づいて体腔内画像を表示する表示装置４と、受信装置３と表示装置４との間でデータの受け渡しを行うための携帯型記録媒体５とを備える。受信装置３は、被検体１によって着用される受信ジャケット３１と、受信される無線信号の処理などを行う外部装置３２とを備える。なお、カプセル型内視鏡２と受信装置３とは、本発明にかかる医療装置を構成している。
【００１６】
表示装置４は、カプセル型内視鏡２によって撮像された体腔内画像などを表示するためのものであり、携帯型記録媒体５によって得られるデータに基づいて画像表示を行うワークステーションなどのような構成を有する。具体的には、表示装置４は、ＣＲＴディスプレイ、液晶ディスプレイなどによって直接画像を表示する構成としても良いし、プリンタなどのように、他の媒体に画像を出力する構成としても良い。
【００１７】
携帯型記録媒体５は、外部装置３２および表示装置４に対して着脱可能であって、両者に対して挿着された時に情報の出力または記録が可能な構造を有する。この実施の形態では、携帯型記録媒体５は、カプセル型内視鏡２が被検体１の体腔内を移動している間は、外部装置３２に挿着されてカプセル型内視鏡２から送信されるデータを記録する。そして、カプセル型内視鏡２が被検体１から排出された後、つまり、被検体１の内部の撮像が終了した後には、外部装置３２から取り出されて表示装置４に挿着され、この表示装置４によって、携帯型記録媒体５に記録されたデータが読み出される構成を有する。たとえば、外部装置３２と表示装置４とのデータの受け渡しを、コンパクトフラッシュ（登録商標）メモリなどから構成される携帯型記録媒体５によって行うことで、外部装置３２と表示装置４との間が有線で直接接続された場合よりも、被検体１が体腔内の撮影中に自由に動作することが可能となる。なお、ここでは、外部装置３２と表示装置４との間のデータの受け渡しに携帯型記録媒体５を使用したが、必ずしもこれに限らず、たとえば外部装置３２に内蔵型の他の記録装置、たとえばハードディスクを用い、表示装置４との間のデータの受け渡しのために、双方を有線または無線接続するように構成してもよい。
【００１８】
次に、図２のブロック図を用いて受信装置３の構成について説明する。受信装置３は、カプセル型内視鏡２から無線送信された体腔内の画像情報を受信する機能を有する。図２に示すように、受信装置３は、被検体１によって着用可能な形状を有し、受信用アンテナＡ１〜Ａｎを備えた受信ジャケット３１と、受信ジャケット３１を介して受信された無線信号の処理などを行う外部装置３２とを備える。なお、各受信用アンテナＡ１〜Ａｎは、直接被検体１の外表面に貼付して、受信ジャケット３１に備え付けられなくてもよく、また受信ジャケット３１に着脱可能なものでもよい。
【００１９】
外部装置３２は、受信用アンテナＡ１〜Ａｎによって受信された無線信号に対して復調などの所定の信号処理を行い、無線信号の中からカプセル型内視鏡２によって取得された画像情報を抽出するＲＦ受信ユニット３３と、抽出された画像情報に必要な画像処理を行う画像処理ユニット３４と、画像処理が施された画像情報を記録するための記憶ユニット３５とを備え、カプセル型内視鏡２から送信された無線信号の信号処理を行う。なお、この実施の形態では、記憶ユニット３５を介して携帯型記録媒体５に画像情報が記録されている。さらに、外部装置３２は、所定の蓄電装置またはＡＣ電源アダプタなどを備えた電力供給ユニット３８を備え、外部装置３２の各構成要素は、電力供給ユニット３８から供給される電源を駆動エネルギーとしている。
【００２０】
次に、図３のブロック図を用いてカプセル型内視鏡２の構成を説明する。カプセル型内視鏡２は、図３のブロック図に示すように、たとえば被検体１の体腔内における被検部位を照射するための照明手段としての発光素子（ＬＥＤ）２０と、ＬＥＤ２０の駆動状態を制御するＬＥＤ駆動回路２１と、ＬＥＤ２０によって照射された領域からの反射光である体腔内の画像（被検体内情報）を撮像する取得手段としての電荷結合素子（ＣＣＤ）２３と、ＣＣＤ２３の駆動状態を制御するＣＣＤ駆動回路２４と、ＣＣＤ２３から出力された画像信号を所望の形式の画像情報に処理する信号処理回路２５と、ＬＥＤ２０の点灯タイミングやＣＣＤ２３の撮像タイミングなどの駆動タイミングを与えるための基準クロックを出力するタイミング出力手段としての撮像タイミング発生回路２６とを備える。また、カプセル型内視鏡２は、この撮像された画像情報をＲＦ信号に変調するＲＦ送信ユニット２７と、ＲＦ送信ユニット２７から出力されたＲＦ信号を無線送信する無線送信手段としての送信アンテナ部２８とを備える。さらに、カプセル型内視鏡２は、これらＬＥＤ駆動回路２１、ＣＣＤ駆動回路２４およびＲＦ送信ユニット２７の動作を制御するシステムコントロール回路２９と、これら電気機器に電源を供給する電源蓄積手段としての電池３０とを備える。なお、ＣＣＤ２３、ＣＣＤ駆動回路２４、信号処理回路２５、および撮像タイミング発生回路２６をまとめて撮像部２２と呼ぶ。これらの機構を備えることにより、このカプセル型内視鏡２は、被検体１内に導入されている間、ＬＥＤ２０によって照射された被検部位の画像信号を、所望の撮像タイミングを構成する基準クロックに基づき、ＣＣＤ２３によって取得するように動作している。この取得されたアナログの画像信号は、この基準クロックに基づき、信号処理回路２５によって信号処理され、さらにＲＦ送信ユニット２７によってＲＦ信号に変換された後、送信アンテナ部２８を介して被検体１の外部に送信されている。
【００２１】
図４は、図３に示した撮像タイミング系の構成の実施の形態１を示すブロック図である。図４において、撮像タイミング発生回路２６は、ＬＥＤ駆動回路２１、ＣＣＤ駆動回路２４、信号処理回路２５およびＲＦ送信ユニット２７に駆動タイミングを構成する基準ブロックを出力している。信号処理回路２５は、ＣＣＤ２３から出力された画像信号に所望の信号処理を施す信号処理部２５ａと、アナログの画像信号をデジタルの画像情報にＡ／Ｄ変換するＡ／Ｄ変換部２５ｂと、画像情報のパラレル／シリアル変換を行うＰ／Ｓ変換部２５ｃと、画像情報の符号化を行うエンコード部２５ｄとを備える。
【００２２】
また、撮像タイミング発生回路２６は、タイミング出力手段としての機能を有し、図５の波形図に示すように、電池の電圧を検出するための検出用パルスをシステムコントロール回路２９内の電源電圧検出部２９ａに出力している。この検出用パルスは、たとえばＣＣＤ駆動回路２１の駆動タイミングに同期し、かつＣＣＤ駆動回路２１による画像情報の出力期間、図５ではエンコード部２５ｄから、垂直同期信号のハイ（Ｈ）状態期間に同期する画像伝送信号の出力期間以外のブランキング期間内の所定タイミングで電源電圧検出部２９ａに出力される。このブランキング期間中は、他の機能実行手段が駆動されていないので、負荷が小さく比較的消費電流が安定しているため、電源電圧検出部２９ａでのパルス検出が確実になり、誤動作が防止されるからである。また、この検出用パルスは、電池３０の消耗を確認するのに必要な所定長の時間ｔのみ出力される。このため、電源電圧検出部２９ａでは、検出用パルスの検出が容易になる。なお、検出用パルスの出力タイミングは、前記ブランキング期間内であれば、いずれの時間に出力しても良い。
【００２３】
システムコントロール回路２９は、電池３０から供給される駆動電源を他の構成要素（機能実行手段）に対して分配する機能を有している。なお、この実施の形態では、カプセル型内視鏡２内に備わる撮像機能、照明機能および無線機能（一部）を有するものを総称して、所定の機能を実行する機能実行手段としている。具体的には、システムコントロール回路２９を除いたものは、所定の機能を実行する機能実行手段であり、以下では必要に応じてカプセル内機能実行回路４０と総称する。
【００２４】
このシステムコントロール回路２９は、図６に示すように、電池３０の電源電圧を検出する検出手段としての電源電圧検出部２９ａの他に、電源電圧検出部２９ａと電池３０間に設けられて、電池３０からカプセル内機能実行回路４０への電源供給を可能にするスイッチ２９ｂと、電源電圧検出部２９ａの電圧検出結果に基づいて、スイッチ２９ｂの切り替え制御を行う電源供給制御手段としてのスイッチ制御部２９ｃとを備える。電源電圧検出部２９ａは、撮像タイミング発生回路２６から出力される検出用パルスの所定長の時間（ハイ状態のパルス幅）ｔ内に電池３０の電源電圧を検出して、その検出結果をスイッチ制御部２９ｃに出力している。スイッチ制御部２９ｃには、外部から加わる磁場によってオン／オフ動作するリードスイッチからなる電源スイッチ４１が接続される。この電源スイッチ４１は、たとえば一度磁場が加わると、オン状態を維持するように構成されている。スイッチ制御部２９ｃは、電源電圧検出部２９ａから電源電圧の検出結果が入力すると、この検出結果に基づいて、スイッチ２９ｂのオン／オフ制御を行う。
【００２５】
すなわち、スイッチ制御部２９ｃは、電源スイッチ４１が外部からの磁場の印加によってオン状態になると、スイッチ２９ｂをオン状態に切り替えて、電池３０からカプセル内機能実行回路４０への駆動電源の供給を可能にする。次に、撮像タイミング発生回路２６から画像伝送信号のブランキング期間内に電池３０の電圧を検出するための検出用パルスがシステムコントロール回路２９に出力されると、システムコントロール回路２９の電源電圧検出部２９ａは、この検出用パルスのハイ状態の期間に電源電圧を検出し、この電圧値が予め設定した閾値、たとえばカプセル型内視鏡が被検者に飲み込まれて排出されるまでの検査期間、被検体内での画像情報の取得が可能な電圧値であるかどうか判断し、この判断結果をスイッチ制御部２９ｃに出力する。
【００２６】
このスイッチ制御部２９ｃでは、この判断結果が、たとえば予め設定された閾値より検出された電源電圧値が高い場合には、検査期間内の画像情報の取得が可能と判断して、スイッチ２９ｂのオン状態を維持する。また、スイッチ制御部２９ｃでは、この判断結果が、たとえば閾値より検出された電源電圧値が低い場合には、現在の電池３０の電源電圧では、検査期間内の画像情報の取得が困難と判断して、スイッチ２９ｂをオフ状態に切り替えて、電池３０からカプセル内機能実行回路４０への電源供給を断にする。
【００２７】
このように、この実施の形態では、電池の電源電圧を検出するのに必要な所定長の検出用パルスを、時間撮像タイミング発生回路からＣＣＤの駆動タイミングに同期して出力し、この検出用パルスの発生期間内に電圧電圧検出部が電源電圧を検出するとともに、この検出結果に基づいて、スイッチ制御部がカプセル内機能実行回路への電源供給を制御するので、電源電圧の検出期間が短くなり、電池の電源電圧検出による消費電流の削減を図ることができる。
【００２８】
また、この実施の形態では、検出用パルスを画像情報の出力期間、すなわち画像伝送信号の出力期間以外のブランキング期間に出力するので、カプセル内機能実行回路が駆動されておらず、電池の電源供給における負荷が小さく比較的消費電流が安定しているため、電源電圧検出部でのパルス検出を確実に行うことができる。なお、検出用パルスの出力期間は、上記ブランキング期間に限らず、負荷が小さく、消費電流が安定している期間であれば、いずれであっても良い。
【００２９】
また、この実施の形態では、電源電圧検出部による電源電圧検出点を、システムコントロール回路のスイッチの出力側に設けたので、スイッチの入力側に設けた場合に発生するリーク電流を防止することができ、さらに電池の電源電圧検出による消費電流の削減を図ることができる。
【図面の簡単な説明】
【００３０】
【図１】実施の形態１にかかる被検体内導入装置を含む無線型被検体内情報取得システムの全体構成を示す模式図である。
【図２】図１に示した受信装置の構成を示すブロック図である。
【図３】同じく、図１に示したカプセル型内視鏡の構成を示すブロック図である。
【図４】図３に示した撮像タイミング系の構成の実施の形態１を示すブロック図である。
【図５】図４に示した撮像タイミング系の各部の出力タイミングを示す波形図である。
【図６】図４に示したシステムコントロール回路の構成を示すブロック図である。
【符号の説明】
【００３１】
１  被検体
２  カプセル型内視鏡
３  受信装置
４  表示装置
５  携帯型記録媒体
２０  ＬＥＤ
２１  ＬＥＤ駆動回路
２２  撮像部
２３  ＣＣＤ
２４  ＣＣＤ駆動回路
２５  信号処理回路
２５ａ  信号処理部
２５ｂ  Ａ／Ｄ変換部
２５ｃ  Ｐ／Ｓ変換部
２５ｄ  エンコード部
２６  撮像タイミング発生回路
２７  ＲＦ送信ユニット
２８  送信アンテナ部
２９  システムコントロール回路
２９ａ  電源電圧検出部
２９ｂ  スイッチ
２９ｃ  スイッチ制御部
３０  電池
３１  受信ジャケット
３２  外部装置
３３  ＲＦ受信ユニット
３４  画像処理ユニット
３５  記憶ユニット
３８  電力供給ユニット
４０  カプセル内機能実行回路
４１  電源スイッチ
Ａ１〜Ａｎ  受信用アンテナ
【図１】
2005334082.tif 000003
【図２】
2005334082.tif 000004
【図３】
2005334082.tif 000005
【図４】
2005334082.tif 000006
【図５】
2005334082.tif 000007
【図６】
2005334082.tif 000008